(57)【要約】【課題】鍋に入れた調理物の重量を検知する機能を有する炊飯器において、空鍋状態の重量検出手段の出力値の情報が初期化されることによる不正確な重量検出により、誤った米量を使用者が認知してしまうのを防止する。【解決手段】上面が開口した炊飯器本体１０内に鍋１２を着脱自在に収納し、鍋１２と鍋１２に入れた調理物の重量との総重量を重量検知部４０により検知し、重量検知部４０が検知した鍋１２の検知信号を鍋検知信号として信号記憶手段２０５に記憶する。重量検知部４０が検知する検知信号と信号記憶手段２０５が記憶している鍋検知信号との差より鍋１２内の内容量を算出手段２０６により算出し、算出手段２０６が算出した内容量を表示手段２０７により表示する。表示手段２０７は、信号記憶手段２０５が初期化された後、信号記憶手段２０５に鍋検知信号を記憶する前と後とで表示内容を変化するようにする。【選択図】図１
2006311915.tif 000002
【特許請求の範囲】
【請求項１】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、少なくとも前記算出手段が算出した内容量を表示する表示手段とを備え、前記表示手段は、前記信号記憶手段が初期化された後、前記信号記憶手段に鍋検知信号を記憶する前と後とで表示内容を変化するようにした炊飯器。
【請求項２】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、前記算出手段に前記鍋内の内容量の算出を要求する算出要求手段と、少なくとも前記算出手段が算出した内容量を表示する表示手段とを備え、前記表示手段は、前記算出要求手段が前記算出手段に要求を出したときに、前記信号記憶手段が初期化された後、前記信号記憶手段に鍋検知信号を記憶していなければ表示内容を変化するようにした炊飯器。
【請求項３】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、前記算出手段に前記鍋内の内容量の算出を要求する算出要求手段と、少なくとも前記算出手段が算出した内容量を表示する表示手段とを備え、前記信号記憶手段が初期化された後、前記信号記憶手段に鍋検知信号を記憶していなければ、前記算出要求手段は前記算出手段への要求を禁止するようにした炊飯器。
【請求項４】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、前記算出手段に前記鍋内の内容量の算出を要求する算出要求手段と、少なくとも前記算出手段が算出した内容量を表示する表示手段とを備え、前記信号記憶手段が初期化された後、前記信号記憶手段に鍋検知信号を記憶していなければ、前記算出手段は前記算出要求手段からの要求を受け付けないようにした炊飯器。
【請求項５】
信号記憶手段が初期化された後、信号記憶手段に鍋検知信号を記憶していなければ、表示手段は算出手段が算出した内容量の表示を禁止するようにした請求項１〜４のいずれか１項に記載の炊飯器。
【発明の詳細な説明】
【技術分野】
【０００１】
本発明は、鍋に入れた調理物の重量を検知する機能を有する炊飯器に関するものである。
【背景技術】
【０００２】
従来、この種の炊飯器は、鍋の下方に重量を検出する重量検出手段を備え、この重量検出手段により鍋内の米量を検出し、表示するようにしている（例えば、特許文献１参照）。
【０００３】
使用者は、まず中に何も入れていない空の鍋（以下、空鍋という）を炊飯器本体内にセットし、この空鍋の重量検出手段からの出力をメモリに記憶する。続いて、鍋内に米を入れ、さらに重量検出手段の出力を読み、この出力値から、メモリに記憶している空鍋時の出力値の差をとることで、米のみの重量値を知ることができる。
【０００４】
例えば、空鍋の重量を６００ｇだとし、その状態から米を入れた状態の重量が９００ｇだとすると、その差は３００ｇであり、それが米の重量ということになる。米１カップは約１５０ｇなので、検出した米重量から１５０ｇを割ることでカップ数を知ることができる。この場合３００ｇなので、２カップであり、それを表示部に表示することで、使用者は鍋内に入れた米量が２カップであることを認知できる。
【０００５】
ここで、炊飯器本体と鍋とはセットで販売されているので、空鍋の重量値のメモリへの記憶は一度行うだけで良い。二度目からは鍋内に直接米をセットした状態でも、米量は検出できる。さらに、工場出荷時に予め記憶しておくことで、使用者は空鍋の重量値の記憶の手間を省くことができる。
【特許文献１】特開２００４−２４８８０５号公報
【発明の開示】
【発明が解決しようとする課題】
【０００６】
しかしながら、このような従来の構成において、空鍋時の重量検出手段からの出力をメモリに記憶しているが、このメモリをマイクロコンピュータに内蔵されているＲＡＭなどで実現した場合、機器の電池切れなどの電源電圧低下が発生すると、記憶していた内容が消去されてしまう。その結果、使用者は消去されたことを認知しないまま、鍋内に直接米をセットし米量を検出しようとすると、本来の米のみの表示ではなく、空鍋の重量を含んだ量を表示してしまうという問題があった。
【０００７】
本発明は上記従来の課題を解決するもので、空鍋状態の重量検出手段の出力値の情報が初期化されることによる不正確な重量検出により、誤った米量を使用者が認知してしまうのを防止することを目的としている。
【課題を解決するための手段】
【０００８】
本発明は上記目的を達成するために、上面が開口した炊飯器本体内に鍋を着脱自在に収納し、炊飯器本体の上面開口部を蓋により開閉自在に覆い、鍋を加熱手段により加熱し、鍋と鍋に入れられた調理物の重量との総重量を重量検知部により検知して検知信号を出力し、少なくとも重量検知部が検知した鍋の検知信号を鍋検知信号として信号記憶手段に記憶し、重量検知部が検知する検知信号と信号記憶手段が記憶している鍋検知信号との差より鍋内の内容量を算出手段により算出し、少なくとも算出手段が算出した内容量を表示手段により表示するよう構成し、表示手段は、信号記憶手段が初期化された後、信号記憶手段に鍋検知信号を記憶する前と後とで表示内容を変化するようにしたものである。
【０００９】
これにより、表示手段は信号記憶手段が初期化された後、信号記憶手段に空鍋時の重量情報である鍋検知信号を記憶していなければ表示内容が変化するので、使用者はその表示を確認することで誤った米量表示をしていることを認知することができる。
【発明の効果】
【００１０】
本発明の炊飯器は、信号記憶手段に空鍋時の重量情報である鍋検知信号を記憶していなければ表示内容が変化するので、その表示を使用者が確認することで誤った米量表示をしていることを認知することができ、その誤った米量を使用者が認知してしまうのを防止することができる。
【発明を実施するための最良の形態】
【００１１】
第１の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、少なくとも前記算出手段が算出した内容量を表示する表示手段とを備え、前記表示手段は、前記信号記憶手段が初期化された後、前記信号記憶手段に鍋検知信号を記憶する前と後とで表示内容を変化するようにしたものであり、表示手段は信号記憶手段が初期化された後、信号記憶手段に鍋検知信号を記憶していなければ表示内容が変化するので、使用者はその表示を確認することで誤った米量表示をしていることを認知することができる。
【００１２】
第２の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、前記算出手段に前記鍋内の内容量の算出を要求する算出要求手段と、少なくとも前記算出手段が算出した内容量を表示する表示手段とを備え、前記表示手段は、前記算出要求手段が前記算出手段に要求を出したときに、前記信号記憶手段が初期化された後、前記信号記憶手段に鍋検知信号を記憶していなければ表示内容を変化するようにしたものであり、表示手段は信号記憶手段が初期化された後、信号記憶手段に鍋検知信号を記憶していなければ算出要求手段が算出手段に要求を出したとき表示内容が変化するので、使用者は前記算出要求手段を使用したときに、その表示の変化を確認することで誤った米量表示をしていることを認知することができる。
【００１３】
第３の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、前記算出手段に前記鍋内の内容量の算出を要求する算出要求手段と、少なくとも前記算出手段が算出した内容量を表示する表示手段とを備え、前記信号記憶手段が初期化された後、前記信号記憶手段に鍋検知信号を記憶していなければ、前記算出要求手段は前記算出手段への要求を禁止するようにしたものであり、信号記憶手段に鍋検知信号を記憶していないときは、算出手段が鍋内の内容量を算出するのを止めることができ、誤った内容量の表示を禁止することができる。
【００１４】
第４の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する信号記憶手段と、前記重量検知部が検知する検知信号と前記信号記憶手段が記憶している鍋検知信号との差より前記鍋内の内容量を算出する算出手段と、前記算出手段に前記鍋内の内容量の算出を要求する算出要求手段と、少なくとも前記算出手段が算出した内容量を表示する表示手段とを備え、前記信号記憶手段が初期化された後、前記信号記憶手段に鍋検知信号を記憶していなければ、前記算出手段は前記算出要求手段からの要求を受け付けないようにしたものであり、信号記憶手段に鍋検知信号を記憶していないときは、算出手段が鍋内の内容量を算出するのを止めることができ、誤った内容量の表示を禁止することができる。
【００１５】
第５の発明は、上記第１〜４のいずれか１つの発明において、信号記憶手段が初期化された後、信号記憶手段に鍋検知信号を記憶していなければ、表示手段は算出手段が算出した内容量の表示を禁止するようにしたものであり、誤った米量を表示をすることなく、使用者が誤った米量表示を認知することを防止できる。
【００１６】
以下、本発明の実施の形態について、図面を参照しながら説明する。なお、この実施の形態によって本発明が限定されるものではない。
【００１７】
（実施の形態１）
図１は本発明の実施の形態１の炊飯器のブロック図であり、図２は同炊飯器の一部切欠した側面図である。なお、図面を簡潔にするために電気的接続のためのリード線等は省略している。
【００１８】
図２に示すように、炊飯器本体１０は、上面を開口し、その上面開口部を覆う蓋２０を開閉自在に設置している。炊飯器本体１０の内部に収納部３０を設け、この収納部３０は、上方の上枠３２と下方のコイルベース３１とで構成しており、収納部３０には、磁性体製の鍋１２を着脱自在に収納する。コイルベース３１の鍋１２の底部に対向する部分に鍋１２を誘導加熱する加熱コイル１３を配設している。
【００１９】
回路基板１４は、図１に示すように、加熱手段２０１を構成する駆動手段２０２、制御手段２０３や、表示手段２０７などで構成し、加熱手段２０１を構成する加熱コイル１３の動作を制御して鍋１２を誘導加熱し、鍋１２内の調理物１９を加熱調理する。ここで、制御手段２０３は、図４に示すマイクロコンピュータ（以下、マイコンという）１００によって実現している。また、マイコン１００は信号記憶手段２０５や、重量を算出する算出手段２０６も含んでいる。
【００２０】
調理物１９は、炊飯前の米、米と水との混合物または炊き上がったご飯等である。この炊飯器は図示しない電源コードを有し、電源コードから商用電源が供給されたときに「電源オン」の状態になる。
【００２１】
鍋温度検知手段１５は、コイルベース３１の底部に配設し、鍋１２の温度を検知するもので、この鍋温度検知手段１５は、鍋１２が収納部３０に収納されると鍋１２の底の中央部に当接し、鍋１２の温度を検知することで調理物１９の温度を検知し、その出力を制御手段２０３に入力している。鍋検知手段１６は、鍋１２が収納部３０に収納されているか否かを検知するもので、この鍋検知手段１６は、炊飯器本体１０に剛体接続されたマイクロスイッチで構成し、鍋１２が収納部３０に収納されると、鍋温度検知手段１５の底に設けた突起部がマイクロスイッチを押下し、鍋検知手段１６はオン信号を出力する。
【００２２】
蓋開閉検知手段２１は、蓋２０の開閉を検知するもので、この蓋開閉検知手段２１は炊飯器本体１０に設け、マイクロスイッチで構成し、蓋２０が開くと蓋２０のヒンジ部がマイクロスイッチを押下し、蓋開閉検知手段２１はオン信号を出力する。蓋開閉検知手段２１は、炊飯器の電源が入っている状態では常に動作しており、オン信号またはオフ信号を出力している。
【００２３】
重量検知部４０は、鍋１２の重量を検知するもので、この重量検知部４０の主要部は、支持部１７およびロードセル１８で構成し、ロードセル１８は、ロバーバル型のロードセル（荷重変換器）であり、炊飯器本体１０に剛体接続している。ロードセル１８に抵抗線ひずみゲージ（図示せず）を取り付けている。ロードセル１８が歪んだときのひずみゲージの抵抗変化をブリッジ回路で電気信号として取り出すよう構成している。
【００２４】
支持部１７は、薄板に３つの突起部を設けた形状を有し、薄板はロードセル１８の一端にねじ止めしている。支持部１７の突起部は、コイルベース３１の底部に設けた３つの孔をそれぞれ貫通しており、鍋１２が収納部３０に収納されていない場合、ロードセル１８は支持部１７の重量を検知する。鍋１２が収納部３０に収納されると、鍋１２の底部が支持部１７の突起部の先端に当接し、ロードセル１８が歪む。鍋１２が収納部３０に収納されると、ロードセル１８は、支持部１７、鍋１２および鍋１２の中の調理物１９の総重量を検知する。すなわち、重量検知部４０は、鍋１２の底面を３点支持する支持部１７を通して、正確に鍋１２および被加熱物（調理物１９）の重量を測定するよう構成している。
【００２５】
鍋温度検知手段１５、鍋検知手段１６、蓋開閉検知手段２１、重量検知部４０からの電気信号は、それぞれ回路基板１４に入力される。
【００２６】
図３は、本実施の形態の炊飯器の操作・表示部を示す図である。炊飯器本体１０の前面には、操作・表示部５０を設けている（図２では図示しない）。操作・表示部５０に、キー入力手段５１、水量表示部５２、液晶表示素子５３を配置している。キー入力手段５１として、米計量スイッチ５１ａ、保温スイッチ５１ｂ、タイマ予約を行うための予約スイッチ５１ｃ、炊飯コースを選択するためのコーススイッチ５１ｄ、炊飯スイッチ５１ｅ、取消／切スイッチ５１ｆ、予約時刻（時と分）を合わせるための時スイッチ５１ｇおよび分スイッチ５１ｈを配置している。
【００２７】
水量表示部５２は、操作・表示部５０の上部に配置された５個のランプ５２ａ〜５２ｅを有する。ご飯の固さは米量および水量に依存する。鍋１２に米を入れた後、米計量スイッチ５１ａを押して米量を測定し、その後に水を入れる。本実施の形態の炊飯器は、使用者が鍋１２に入れた米量を測定し、米量および水量に対応するご飯の固さに応じて、水量表示部５２のランプ５２ａ〜５２ｅのうち該当するランプを点灯または点滅させる。ランプ５２ａの左上に「かため」、ランプ５２ｃの上に「ふつう」、ランプ５２ｅの右上に「やわらかめ」の文字が印刷されており、ユーザは、水量表示部５２を確認しながら、好みの固さのご飯を炊くための水加減を行うことができる。
【００２８】
液晶表示素子５３には、操作案内表示部５４および米量表示部５５、時刻表示部５６を配置している。操作案内表示部５４は、使用者が次に行うべき操作または現在の状態を表示するための表示部である。操作案内表示部５４には「水加減」表示部５４ａおよび「炊飯を押す」表示部５４ｂを配置している。ユーザがつぎに行うべき操作は、各表示部５４ａ、５４ｂの文字（「水加減」または「炊飯」の文字）の背景部分が黒く表示されることで示すようにしている。米量表示部５５は、鍋１２の絵と使用者が鍋１２に入れた米量（カップ数）の測定結果を表示する。
【００２９】
図３の表示例は、米および水の計量が終了した状態での表示である。鍋１２の絵と米量「２．３カップ」が米量表示部５５に表示されている。「炊飯を押す」表示部５４ｂの「炊飯」の文字の背景が黒く表示され、ユーザに炊飯スイッチ５１ｅを押すことを促している。
【００３０】
このように液晶表示素子５３は、表示手段２０７を構成しており、米量表示部５５とそれ以外の表示部とから構成している。
【００３１】
図４は、本実施の形態の回路基板１４の回路図である。図４に示すように、加熱コイル１３は、鍋１２を誘導加熱する。交流電源１２０から交流電力が供給され、ダイオードブリッジ１０２によって整流し、平滑コンデンサ１０３、共振コンデンサ１０４、スイッチング素子１０５、加熱コイル１３よりなるインバータ回路により誘導加熱のための高周波電力を発生させる。インバータ回路は駆動手段２０２を構成するドライブＩＣ１０７と誘導加熱制御用ＩＣ１０８によって駆動されている。
【００３２】
電源ＩＣ１０６は交流電源１２０から動作のための直流電源を各回路に供給している。交流電源１２０が開放されている場合は、電池１２１により直流電源を各回路に供給している。この電池１２１は主としてマイコン１００に内蔵しているＲＡＭの内容保持の目的に使用している。
【００３３】
サーミスタ１０９は底温度検知手段１５の中に内蔵されており、サーミスタ１０９が温度によって抵抗値が変化するのを利用して鍋１２の温度を検知している。水晶発振子１１０の発振によって、マイコン１００内のタイマをカウントして計時を行っている。そして、マイコン１００に入力された温度や計時している時間を本に誘導加熱制御用ＩＣ１０８を制御することにより、鍋１２の加熱を制御して、炊飯を行っている。
【００３４】
蓋開閉検知スイッチ１１１は、蓋開閉検知手段２１を構成し、蓋２０が開くとスイッチがオフし、蓋２０が閉じるとスイッチがオンすることにより、蓋開閉の検知を行う。表示は液晶表示パネル５３およびランプ５２によって行っている。
【００３５】
重量検知は、ロードセル１８からの信号は微小なのでオペアンプと抵抗よりなる差動増幅回路１１２によって増幅し、マイコン１００に入力するようにしている。ロードセル１８からの出力は、ロードセル１８にかかっている重量に比例している。マイコン１００では、この差動増幅回路１１２によって増幅した信号をマイコン１００に内蔵の１２ｂｉｔのＡＤ変換器でＡＤ変換し電圧信号を数値に変換している。本実施の形態では、１ＬＳＢあたり１ｇとなるように差動増幅回路１１２を調整している。よって、ＡＤ変換結果が１５００ならば、これは１５００ｇの信号に相当する。以下、各入力信号の値はこのＡＤ変換した値で説明する。
【００３６】
上記構成において重量検知の動作を説明する。重量検知部４０の出力は、鍋１２が炊飯器本体１０に入っていない無負荷のときでも出力が出ている。重量検知部４０の無負荷時のマイコン１００への入力を無負荷信号Ｚとし、マイコン１００のＲＡＭである信号記憶手段２０５に記憶する。さらに、鍋１２が炊飯器本体１０にセットされているとき（鍋１２の中には何も入っていない空鍋状態）の入力をＮとするとき、無負荷信号Ｚとの差（Ｎ−Ｚ）が空鍋の重量分の信号となる。これを鍋検知信号Ｎ１とし、信号記憶手段２０５に記憶する。
【００３７】
鍋１２が炊飯器本体１０にセットされており、鍋１２の中に調理物１９が入っている場合の重量検知部４０のマイコン１００への入力をＭとすると、調理物１９の重量Ｍ１は、
Ｍ１＝Ｍ−Ｎ１−Ｚ・・・・・（１）
となる。算出手段２０６は、この（１）式に従い、重量検知部４０からの信号を重量値に変換する。また、１カップあたり約１５０ｇなので、算出した重量Ｍ１を１５０で割ることで、重量をカップ数に変換できる。算出要求手段２０８である米計量スイッチ５１ａを使用者が操作したとき、検出した重量をカップ数に変換するようにしている。
【００３８】
ここで、重量検知部４０の無負荷時のマイコン１００への入力である無負荷信号Ｚはロードセル１８の経年劣化や室温などで出力値が変化する。その出力値の変化が重量検知の誤差の原因となる。そこで、重量検知直前に無負荷信号Ｚを入力することでロードセル１８の無負荷時の出力変化に対応し、誤差をなくすというゼロリセットが必要となってくる。本実施の形態では、蓋開閉検知手段２１によって蓋開を検知し、鍋検知手段１６で鍋１２が炊飯器本体１０にセットされていないとき無負荷と判断して無負荷時の入力を行い、信号記憶手段２０５に記憶することによって、ゼロリセットしている。
【００３９】
鍋検知信号Ｎ１は、鍋１２が他のものと交換されない限り、ほとんど変化はない。よって、一度信号記憶手段２０５に記憶すると、毎回記憶をし直す必要はない。本実施の形態では、蓋開閉検知手段２１によって蓋開を検知し、鍋検知手段１６で鍋１２を炊飯器本体１０にセットしていると判定しているときに、計量スイッチ５１ａを５秒以上連続で押すことで、そのときの入力Ｎから無負荷信号Ｚとの差である鍋検知信号Ｎ１を算出し、信号記憶手段２０５に記憶している。
【００４０】
この信号記憶手段２０５はマイコン１００のＲＡＭで実現しているため、電池１２１が切れてしまうと、マイコン１００にリセットがかかり、内容が初期化されてしまう。本実施の形態のマイコン１００では、リセットしたときに、ＲＡＭを０でクリアするようにしている。このときに調理物１９の重量検知を行うと（１）式でＮ１が０なので、鍋１２の重量も含んだ状態で検知してしまう。よって、本実施の形態では、鍋検知信号Ｎ１の状態によって、すなわち、信号記憶手段２０５が初期化された後、信号記憶手段２０５に鍋検知信号Ｎ１を記憶する前と後とで、表示手段２０７の表示を変化させるようにしている。
【００４１】
このときの動作を図５および図６を参照しながら説明する。図５は本実施の形態の表示動作を示すフローチャートである。
【００４２】
まず、ステップ１０１で信号記憶手段２０５に記憶している鍋検知信号Ｎ１が４００以上かどうか判定を行う。本実施の形態の炊飯器の鍋１２の重量は標準で６００ｇであり、ここから２００ｇも少ない４００ｇを下回って記憶されていることはない。よって、これを下回ることは、マイコン１００にリセットがかかり、ＲＡＭが０クリアされたことがわかる。ステップ１０１で４００以上であれば、ステップ１０２へ進み鍋検知信号Ｎ１が８００未満かどうかを判定し、８００未満であれば、ステップ１０３へ進む。これも標準重量６００ｇに対し、８００ｇ以上ということは、鍋検知信号Ｎ１の記憶が明らかに異常ということがわかる。
【００４３】
結局、ステップ１０１とステップ１０２で鍋検知信号Ｎ１が４００以上で８００未満のとき、ステップ１０３へ進み、それ以外はステップ１０４へ進む。
【００４４】
ステップ１０３では、図６（ａ）に示すように、米量表示部５５の鍋を示すキャラクタを表示（以下、鍋表示と呼ぶ）を行い、ステップ１０５へ進む。ステップ１０４では、図６（ｂ）に示すように、米量表示部の鍋を示すキャラクタを非表示（以下、鍋非表示と呼ぶ）を行い、ステップ１０５へ進む。ステップ１０５では、算出手段２０６が算出した調理物１９である米量を表示する。
【００４５】
このように鍋検知信号Ｎ１が正常に記憶されているならば、図６（ａ）に示すように、表示手段２０７は、米量表示部５５に鍋表示と米量表示を行い、特にマイコン１００のリセット時など、鍋検知信号Ｎ１が異常に記憶されているならば、図６（ｂ）に示すように、表示手段２０７は米量表示部５５に米量表示のみを行う。
【００４６】
この図６の表示例では、鍋１２の重量が６００ｇ、調理物１９である米の重量３００ｇを入れたときのものである。鍋検知信号Ｎ１が正常に記憶されているならば、３００ｇで米量を算出し２カップとなり、異常に記憶されているならば、９００ｇで算出してしまい、６カップとなってしまう。しかし、図６（ｂ）の表示のように、鍋表示がされないので、通常と明らかに表示が違い、表示しているカップ数が正しくないことが認知できる。
【００４７】
以上のように、本実施の形態においては、表示手段２０７は、信号記憶手段２０５が初期化された後、信号記憶手段２０５に鍋検知信号を記憶する前と後とで表示内容を変化するようにしたので、表示手段２０７は信号記憶手段２０５が初期化された後、信号記憶手段２０５に鍋検知信号Ｎ１を記憶していなければ表示内容が変化するので、使用者はその表示を確認することで誤った米量表示をしていることを認知することができる。
【００４８】
なお、本実施の形態においては、信号記憶手段２０５が初期化されたことを、記憶している鍋検知信号Ｎ１が所定値以下かどうかで判定しているが、これは次のようにしても実現できる。まず、マイコン１００のＲＡＭ上にフラグを用意し、鍋検知信号Ｎ１を記憶するときにのみ、このフラグをセットするようにする。そして、このフラグが立っているかどうかを判定すると、信号記憶手段２０５が初期化された後に鍋検知信号Ｎ１を記憶したかどうかが判定できる。
【００４９】
また、本実施の形態においては、マイコン１００のリセット時など、鍋検知信号Ｎ１が異常に記憶されているとき、鍋非表示にしているが、これは鍋非表示とせず、エラー表示などしてもよいということはいうまでもない。要は、鍋検知信号Ｎ１が正常に記憶しているときと、していないときとで、表示手段２０７上の表示に変化を与える構成であればよい。
【００５０】
（実施の形態２）
図１に示す表示手段２０７は、算出要求手段２０８が算出手段２０６に要求を出したときに、信号記憶手段２０５が初期化された後、信号記憶手段２０５に鍋検知信号Ｎ１を記憶していなければ米量表示部５５の表示を更新するように構成している。他の構成は上記実施の形態１と同じである。
【００５１】
上記構成において、表示動作を図７のフローチャートを参照しながら説明する。なお、ステップ１０１〜ステップ１０５の動作は上記実施の形態１と同じであるので説明を省略する。
【００５２】
ステップ１０６において、算出要求手段２０８である米計量スイッチ５１ａが操作されたならば、ステップ１０７へ進み、算出手段２０８は調理物１９の重量算出および、カップ数算出を行い、ステップ１０１へ進む。
【００５３】
このように表示手段２０７の米量表示部５５の表示は、米計量スイッチ５１ａを操作したときに、信号記憶手段２０５が初期化された後、信号記憶手段２０５に鍋検知信号Ｎ１を記憶していなければ米量表示部５５の表示を更新するようにしているので、使用者が米計量スイッチ５１ａを操作したときに米量表示部５５の表示が変化するので、使用者は米量表示部５５のみを注視しやすい。その結果、鍋表示か鍋非表示かを認知しやすく、そのことで表示する米量が正しいかどうか判定しやすくなる。
【００５４】
以上のように、本実施の形態においては、表示手段２０７は、算出要求手段２０８が算出手段２０６に要求を出したときに、信号記憶手段２０５が初期化された後、信号記憶手段２０５に鍋検知信号Ｎ１を記憶していなければ表示内容を変化するようにしたので、使用者は算出要求手段２０８を使用したときに、その表示の変化を確認することで誤った米量表示をしていることを認知することができる。
【００５５】
（実施の形態３）
図１に示す算出要求手段２０８は、信号記憶手段２０５が初期化された後、信号記憶手段２０５に鍋検知信号Ｎ１を正常に記憶していなければ、算出手段２０６への要求を禁止するように構成している。他の構成は上記実施の形態１と同じである。
【００５６】
上記構成において、表示動作を図８のフローチャートを参照しながら説明する。なお、ステップ１０１〜ステップ１０５の動作は上記実施の形態１と同じであるので説明を省略する。
【００５７】
ステップ１０１およびステップ１０２で鍋検知信号Ｎ１が４００以上で８００未満か判定し、その範囲であればステップ１０８へ進み、範囲外であれば終了する。ステップ１０８では、算出要求手段２０８である米計量スイッチ５１ａが操作されたかどうかを判定し、操作されたならば、ステップ１０７へ進み、算出手段２０８へ算出要求を出し、重量算出する。
【００５８】
このように米計量スイッチ５１ａの受付けは、鍋検知信号Ｎ１が正常に記憶されているときのみであるので、異常な場合は受付されず、結果間違った重量算出することなく、表示もされることはない。
【００５９】
以上のように、本実施の形態においては、算出要求手段２０８は、信号記憶手段２０５が初期化された後、信号記憶手段２０５に鍋検知信号Ｎ１を記憶していなければ、算出手段２０６への要求を禁止するようにしたので、信号記憶手段２０５に鍋検知信号Ｎ１を記憶していないときは、算出手段２０６が鍋１２内の内容量を算出するのを止めることができ、誤った内容量の表示を禁止することができる。
【００６０】
（実施の形態４）
図１に示す算出手段２０６は、信号記憶手段２０５が初期化された後、信号記憶手段２０５に鍋検知信号Ｎ１を正常に記憶していなければ、算出要求手段２０８からの算出要求を受け付けないように構成している。他の構成は上記実施の形態１と同じである。
【００６１】
上記構成において、表示動作を図９のフローチャートを参照しながら説明する。なお、ステップ１０１〜ステップ１０５の動作は上記実施の形態１と同じであるので説明を省略する。
【００６２】
ステップ１０９では、算出要求手段２０８である米計量スイッチ５１ａが操作されたかどうかを判定し、操作されたならば、ステップ１０１およびステップ１０２で鍋検知信号Ｎ１が４００以上で８００未満か判定し、その範囲であればステップ１０７へ進み、算出手段２０８により重量算出を行い、範囲外であれば終了する。
【００６３】
このように米計量スイッチ５１ａが操作され、算出手段２０６へ算出要求が出されても、算出要求手段２０６がそれを受け付け重量算出するのは鍋検知信号Ｎ１が正常に記憶されているときのみであるので、異常な場合は受け付けされず、結果間違った重量算出することなく、表示もされることはない。
【００６４】
以上のように、本実施の形態においては、算出手段２０６は、信号記憶手段２０５が初期化された後、信号記憶手段２０５に鍋検知信号Ｎ１を記憶していなければ、算出要求手段２０８からの要求を受け付けないようにしたので、信号記憶手段２０５に鍋検知信号Ｎ１を記憶していないときは、算出手段２０６が鍋１２内の内容量を算出するのを止めることができ、誤った内容量の表示を禁止することができる。
【００６５】
（実施の形態５）
図１に示す表示手段２０７は、信号記憶手段２０５が初期化された後、信号記憶手段２０５に鍋検知信号Ｎ１が正常に記憶していなければ、算出手段２０６が算出した米量表示部５５の米量表示を禁止するように構成している。他の構成は上記実施の形態１と同じである。
【００６６】
上記構成において、表示動作を図１０のフローチャートを参照しながら説明する。なお、ステップ１０１〜ステップ１０５の動作は上記実施の形態１と同じであるので説明を省略する。
【００６７】
ステップ１０１およびステップ１０２で鍋検知信号Ｎ１が４００以上で８００未満か判定し、その範囲から外れているときステップ１０４で鍋非表示時にした後、さらにステップ１１０へ進む。ステップ１１０では、米量表示部５５の米量を非表示にする。
【００６８】
このように信号記憶手段２０５に記憶している鍋検知信号Ｎ１が正常に記憶されていないうちは、表示手段２０７は米量を表示しないので、結果間違った米量を表示する恐れがない。
【００６９】
以上のように、本実施の形態においては、表示手段２０７は、信号記憶手段２０５が初期化された後、信号記憶手段２０５に鍋検知信号Ｎ１が正常に記憶していなければ、算出手段２０６が算出した内容量の表示を禁止するようにしたので、誤った米量を表示をすることなく、使用者が誤った米量表示を認知することを防止できる。
【産業上の利用可能性】
【００７０】
以上のように、本発明にかかる炊飯器は、重量検知に関する情報を予め記憶し、その情報が異常であれば適切な表示ができるので、鍋に入れた調理物の重量を検知する機能を有する炊飯器として有用である。
【図面の簡単な説明】
【００７１】
【図１】本発明の実施の形態１の炊飯器のブロック図
【図２】同炊飯器の一部切欠した側面図
【図３】同炊飯器の操作・表示部の拡大正面図
【図４】同炊飯器の一部ブロック化した回路図
【図５】同炊飯器の表示動作のフローチャート
【図６】（ａ）同炊飯器の鍋検知信号が正常に記憶されている場合の表示手段の表示状態を示す図（ｂ）同炊飯器の鍋検知信号が異常に記憶されている場合の表示手段の表示状態を示す図
【図７】本発明の実施の形態２の炊飯器の表示動作のフローチャート
【図８】本発明の実施の形態３の炊飯器の表示動作のフローチャート
【図９】本発明の実施の形態４の炊飯器の表示動作のフローチャート
【図１０】本発明の実施の形態５の炊飯器の表示動作のフローチャート
【符号の説明】
【００７２】
１０  炊飯器本体
１２  鍋
２０  蓋
４０  重量検知部
２０１  加熱手段
２０５  信号記憶手段
２０６  算出手段
２０７  表示手段
【図１】
2006311915.tif 000003
【図２】
2006311915.tif 000004
【図３】
2006311915.tif 000005
【図４】
2006311915.tif 000006
【図５】
2006311915.tif 000007
【図６】
2006311915.tif 000008
【図７】
2006311915.tif 000009
【図８】
2006311915.tif 000010
【図９】
2006311915.tif 000011
【図１０】
2006311915.tif 000012